(57)【要約】【課題】  リムを持たないで両レンズを連結部材の両側に連結すると共に、レンズ外側にはツルを連結する為のヨロイを取着して成る縁なしメガネであって、レンズ外形が変化した場合であっても、同じ連結部材及びヨロイを用いて組立て構成することが出来る縁なしメガネの提供。【解決手段】  上記連結部材２とレンズ１の間に、及びヨロイ３とレンズ１の間には樹脂製の回り止め部品４を介在したもので、上記回り止め部品４は、レンズ１に設けたスリーブ穴６に嵌るスリーブ７と、レンズ外周に接する当り面１７を形成した当り片８を連結片１５にて繋いで構成している。【選択図】    図１
2006058717.tif 000002
【特許請求の範囲】
【請求項１】
リムを持たないで両レンズを連結部材の両側に連結すると共に、レンズ外側にはツルを連結する為のヨロイを取着して成る縁なしメガネにおいて、
上記連結部材とレンズの間に、及びヨロイとレンズの間には樹脂製の回り止め部品を介在したことを特徴とする縁なしメガネ。
【請求項２】
上記回り止め部品をレンズ表面側に配置した請求項１記載の縁なしメガネ。
【請求項３】
上記回り止め部品をレンズ裏面側に配置した請求項１記載の縁なしメガネ。
【請求項４】
上記回り止め部品は、レンズに設けたスリーブ穴に嵌るスリーブと、レンズ外周に接する当り面を形成した当り片を連結片にて繋いで構成した請求項１、請求項２、又は請求項３記載の縁なしメガネ。
【請求項５】
上記回り止め部品は、概略コ型断面をして嵌合溝を有し、一方側にはレンズに設けたピン穴に嵌るピンを突出し、他方側にはネジが挿通する穴を貫通して設け、上記嵌合溝には連結部材及びヨロイの止着片が嵌合した請求項１、請求項２、請求項３記載の縁なしメガネ。
【発明の詳細な説明】
【技術分野】
【０００１】
本発明はリムを持たないでレンズを直接連結し、樹脂製の回り止め部品を用いた縁なしメガネに関するものである。
【背景技術】
【０００２】
図１２は従来の一般的な縁なしメガネを示している具体例である。両レンズ(イ)、(イ)は連結部材(ロ)によってネジ止めされ、レンズ(イ)、(イ)の外側にはヨロイ(ハ)、(ハ)がネジ止めにて取着されている。そして、このヨロイ(ハ)には継手部を介してツル(ニ)が折畳み出来るように取付けされ、さらにレンズ(イ)の内側には上記連結部材(ロ)から延びる脚先端に鼻当てパット(ホ)が設けられている。
【０００３】
ところで、両レンズ(イ)、(イ)は連結部材(ロ)にてネジ止めされ、同じくヨロイ(ハ)はレンズ外側にネジ止めされているが、１本のネジでレンズ(イ)と連結固定する場合、ネジを中心として回転しない構造としなければならない。縁なしメガネではレンズの外周に当接する当り片(ヘ)を連結部材(ロ)並びにヨロイ(ハ)に設けることで、レンズの回転を阻止してガタ付かない構造が採用されている。
【０００４】
このように、両レンズ(イ)、(イ)を連結部材(ロ)の両サイドにネジ止めし、レンズ外側にヨロイ(ハ)、(ハ)をネジ止めしているが、該ネジ(ト)、(ト)・・に弛みが生じるならば、上記当り片(ヘ)がレンズ外周に正しく当接していてもガタ付を発生する。従来、メガネ用ネジとして弛み止め対策が施されたものも存在し、ネジ外周に樹脂をコーティングしたネジ、又外周にスリット溝を形成したネジが知られている。しかし、このようなネジであっても弛みを完全に防止することは不可能である。
【０００５】
一方、上記連結部材(ロ)及びヨロイ(ハ)には当り片(ヘ)が形成されているが、一般に該連結部材(ロ)及びヨロイ(ハ)の一部として形成している金属製であることから、レンズ外周には局部的に高い接触圧を発生し、その為にレンズ割れの原因となる。また、レンズ(イ)の外形が変わった場合には、当り片(ヘ)はレンズ外周に当接することは出来ず、連結部材及びヨロイの形状を変えることが必要となる。すなわち、当り片(ヘ)を一体成形している連結部材(ロ)及びヨロイ(ハ)に互換性はなく、僅かにレンズ形状が変化しても該連結部材(ロ)及びヨロイ(ハ)を成形しなくてはならず、しかも成形用の金型が必要となる。
【発明の開示】
【発明が解決しようとする課題】
【０００６】
このように、従来の縁なしメガネには上記のごとき問題がある。本発明が解決しようとする課題はこれら問題点であり、レンズ外形が変化した場合であっても、同じ連結部材及びヨロイを用いて組立て構成することが出来る縁なしメガネを提供する。
【課題を解決するための手段】
【０００７】
本発明に係る縁なしメガネの基本形態は従来通りであって、両レンズは連結部材の両側に直接固定されると共に、レンズ外側にはヨロイが取着されている。そして、上記ヨロイには継手を介してツルが折畳み出来るように取付けられている。ところで、本発明に係る縁なしメガネでは樹脂製の回り止め部品が用いられ、該回り止め部品はレンズと連結部材及びヨロイの間に介在して組み立てられる。
【０００８】
ここで回り止め部品は、レンズと連結部材及びヨロイの間に介在することでレンズとの間に相対的動きがないように、又連結部材及びヨロイとの間に相対的動きがないような形状と成っている。例えば、従来の連結部材やヨロイに形成した当り片を回り止め部品に設けてレンズ外周に当接した状態で組立てる。また、回り止めピンを突出して設けることも出来る。
【０００９】
一方、連結部材及びヨロイ間の回り止め手段としては、互いに噛合う嵌合部を設けている。従って、一箇所はネジ止めにてレンズと回り止め部品、そして連結部材及びヨロイが固定され、他の箇所は回り止め部品に設けた上記回り止め手段を介して止着されることで、レンズと連結部材間、及びレンズとヨロイ間はガタ付くことのない安定した連結構造と成る。
【発明の効果】
【００１０】
本発明に係る縁なしメガネは、樹脂製の回り止め部品が使用されてレンズと連結部材間、及びレンズとヨロイ間に介在して組立てられる。従って、該回り止め部品によってレンズが回転したりガタ付くことはなく、安定した縁なしメガネを構成することが出来る。そして、レンズとヨロイ間に樹脂製の回り止め部品を介在することで、レンズに無理な負荷が作用せず、集中応力の発生を防止することが出来、レンズ割れは無くなる。
【００１１】
又、回り止め部品は独立した樹脂製部品であり、その為にレンズの外形が変化した場合であっても、該回り止め部品だけをレンズ形状に合わせた形状とすることで、連結部材及びヨロイをそのまま使って組立てることが出来る。
【実施例】
【００１２】
図１は本発明に係る縁なしメガネを示す一部外観図を示している。同図の１はレンズ、２は連結部材、３はヨロイ、４は回り止め部品を表している。連結部材２の両側にはレンズ１，１が連結し、レンズ外側にはヨロイ３，３が取着され、そしてヨロイ３，３にはツルが折畳み出来るように取付けられる。同図にはツルを表していないが、ヨロイ3の先端には継手部材を構成する蝶片5がロウ付けされている。そして、図示していないが、連結部材２から脚を延ばし、脚先端には鼻当てパットを取付けることも可能である。
【００１３】
図２は連結部材２、ヨロイ３、レンズ１，１、及び回り止め部品４，４・・が分離している状態であるが、本発明の縁なしメガネは同図に示す番号順に組立てる。レンズ１には両側にスリーブ穴６，6が貫通して設けられ、このスリーブ穴６に表側から回り止め部品４のスリーブ７を嵌める。回り止め部品４にはスリーブ７の他に当り片８が形成され、該当り片８はレンズ外周に当接する。
【００１４】
連結部材２及びヨロイ３の止着片９を回り止め部品４の上側に重ね合わせ、そしてネジ１０を止着片９に形成している穴及びスリーブ７を貫通する穴に挿通し、レンズ裏側へ突出したネジ部にナット１８を締め付ける。ここで、連結部材２及びヨロイ３はネジ締めされただけでは該ネジ１０を中心として回転するが、この回転を防止する為の回り止め手段として、当り片８には嵌合溝１１を形成し、該嵌合溝１１に止着片９の基部１２が嵌合する連結構造と成っている。一方、上記ナット１８の代わりにブッシュを用いてネジ部に嵌合することで固定することも可能である。
【００１５】
図３は連結部材２を単独で示しているが、該連結部材２は滑らかに湾曲した山１３の両側には止着片９，９が外方向へ延びている。そして、止着片９，９の先端には座を形成した穴１４，１４が貫通して設けられている。この穴１４には上記ネジ１０が挿通すると共に、ネジ頭は座に嵌ることが出来る。
【００１６】
図４にはヨロイ３を単独で示しているように、その形状は概略「へ」字状に湾曲し、一方端には止着片９が外方向へ延び、他方端には蝶片５がロウ付けされている。該蝶片５はツル端にロウ付けされている蝶片と組合されて、ツルは折畳み出来るように連結される。そして、止着片９の先端にはネジ１０が挿通する穴１４が貫通し、穴１４には座が形成されている。そして、連結部材２及びヨロイ３には基部１２が形成されている。
【００１７】
図５は回り止め部品４を示している。該回り止め部品４は樹脂製であって、スリーブ７と当り片８を有し、スリーブ７と当り片８は連結片１５にて繋がれている。そしてスリーブ７には穴１６が貫通し、当り片８には嵌合溝１１が設けられている。このスリーブ７はレンズ１のスリーブ穴６に嵌入し、当り片８の当り面１７はレンズ外周に隙間なく接する。その為に、当り面１７は滑らかな凹状曲面を形成している。
【００１８】
ところで、スリーブ７はレンズ１のスリーブ穴６に嵌り、当り片８の当り面１７がレンズ外周に接することで、該回り止め部品４はレンズ１の外側にガタ付くことなく安定して取付けられる。そして、この回り止め部品４に連結部材２及びヨロイ３がネジ止めされるが、止着片９の穴１４を貫通したネジ１０はスリーブ７の穴１６を貫通してレンズ裏側へ突出したネジ部にナット１８を締め付け、基部１２は当り片８に設けている嵌合溝１１に嵌合する為にガタ付くことなく安定した縁なしメガネとなる。
【００１９】
図６は本発明に係る他の縁なしメガネを示す一部外観図を示している。同図の１はレンズ、２は連結部材、３はヨロイ、４は回り止め部品を表している。連結部材２の両側にはレンズ１，１が連結し、レンズ外側にはヨロイ３，３が取着され、そしてヨロイ３，３にはツルが折畳み出来るように取付けられる。同図には前記実施例の場合と同じくツルを表していないが、ヨロイ3の先端には継手部を構成している。そして、図示していないが、連結部材２から脚を延ばし、脚先端には鼻当てパットを取付けることも可能である。
【００２０】
図２は連結部材２、ヨロイ３、レンズ１，１、及び回り止め部品４，４・・が分離している状態であるが、縁なしメガネは同図に示す番号順に組立てる。レンズ１には両側にネジ挿通穴１９，１９が貫通して設けられ、該ネジ挿通穴１９，１９の隣にはピン穴２０，２０が設けられている。そして回り止め部品４から突出したピン２１がピン穴２０に嵌入してレンズ表面側に配置される。
【００２１】
そして、連結部材２及びヨロイ３の先端部にはネジ１０が突出して設けられ、このネジ１０は回り止め部品４に設けた穴２２からネジ挿通穴１９を貫通し、レンズ裏側へ突出したネジ部にナット１８を締め付ける。ここで、連結部材２及びヨロイ３はネジ締めされただけでは該ネジ１０を中心として回転するが、この回転を防止する為の回り止め手段として、回り止め部品４には嵌合溝を形成し、該嵌合溝に連結部材２及びヨロイ３の止着片が嵌合する連結構造と成っている。ここで、上記ナット１８の代わりにブッシュを用いてネジ部に嵌合することで固定することも可能である。
【００２２】
図８は連結部材２を単独で示しているが、該連結部材２は滑らかに湾曲した山１３の両側に止着片９，９が外方向へ延びている。そして、止着片９，９にはネジ１０，１０がロウ付けされて突出している。勿論、連結部材２が樹脂製である場合には、ネジ１０，１０と共に成形することも出来る。
【００２３】
図９にはヨロイ３を単独で示しているように、その形状は概略「へ」字状に湾曲し、一方端には止着片９が外方向へ延び、他方端には継手部２３を設けていて、該継手部２３にはツルが折畳み出来るように連結される。そして、止着片９にはネジ１０が突出している。
【００２４】
図１０は回り止め部品４を示している。該回り止め部品４は樹脂製であって、コ型断面を有して一端にはピン２１が突出している。コ型断面を形成することで嵌合溝２４を有し、該嵌合溝２４に連結部材２及びヨロイ３の止着片９が嵌合する。又ネジ１０が挿通する穴２２がコ型断面の回り止め部品４の底に貫通し、ピン２１はレンズ１のピン穴２０に嵌入してレンズ面に隙間なく接して配置される。
【００２５】
ところで、回り止め部品４のピン２１がレンズ１のピン穴２０に嵌り、連結部材２及びヨロイ３のネジ１０が回り止め部品４に設けた穴２２を貫通することで、該回り止め部品４はレンズ１に対して位置決めされ、そして連結部材２及びヨロイ３の止着片９は図６のＡ−Ａ断面拡大図を図１１に示すごとく嵌合溝２４に嵌合することで、該連結部材２及びヨロイ３は回り止め部品４に対しての位置決めがなされる。従って、連結部材２及びヨロイ３はレンズに対してガタ付くことなく定位置に固定される。
【図面の簡単な説明】
【００２６】
【図１】本発明に係る縁なしメガネの一部を示す実施例。
【図２】縁なしメガネの組立手順を表している。
【図３】連結部材の具体例。
【図４】ヨロイの具体例。
【図５】回り止め部品の具体例。
【図６】本発明に係る縁なしメガネの一部を示す他の実施例。
【図７】縁なしメガネの組立手順を表している。
【図８】連結部材の具体例。
【図９】ヨロイの具体例。
【図１０】回り止め部品の具体例。
【図１１】図６のＡ−Ａ断面拡大図。
【図１２】従来の一般的な縁なしメガネ。
【符号の説明】
【００２７】
１  レンズ
２  連結部材
３  ヨロイ
４  ツル
５  蝶片
６  スリーブ穴
７  スリーブ
８  当り片
９  止着片
10  ネジ
11  嵌合溝
12  基部
13  山
14  穴
15  連結片
16  穴
17  当り面
18  ナット
19  ネジ挿通穴
20  ピン穴
21  ピン
22  穴
23  継手部
24  嵌合溝
【図１】
2006058717.tif 000003
【図２】
2006058717.tif 000004
【図３】
2006058717.tif 000005
【図４】
2006058717.tif 000006
【図５】
2006058717.tif 000007
【図６】
2006058717.tif 000008
【図７】
2006058717.tif 000009
【図８】
2006058717.tif 000010
【図９】
2006058717.tif 000011
【図１０】
2006058717.tif 000012
【図１１】
2006058717.tif 000013
【図１２】
2006058717.tif 000014